(57)【要約】【課題】無線ネットワークが、１つ又はそれよりも多くのネットワークパラメータに基づく最適化のようなページングモード作動を動的に変更又は実施することを可能にする方法及び装置を提供することを目的とする。【解決手段】一実施形態では、無線ネットワークは、セルラーネットワーク（例えば、「３Ｇ  ＵＭＴＳ」又はＬＴＥ）であり、基地局とセルラーユーザデバイスの両方は、ネットワークパラメータに関連する様々な望ましい作動属性に基づいてページングモード作動を動的に構成する。このような柔軟なページング機構は、いくつかの方法を通じてネットワークユーザに公開することができ、適切に有効にされたユーザデバイスを有するユーザは、それらの電力及びアプリケーション性能を改善することができる。基地局はまた、他のサービスをサポートするために、解放されたセルラーリソースを有利に取り戻すことができる。レガシー加入者も影響を受けることはない。【選択図】図７
2014143751.tif 000002
【特許請求の範囲】
【請求項１】
セルラーネットワークのユーザデバイスにより、１つ又はそれよりも多くのページングチャンネル構成を該セルラーネットワークによって提供される少なくとも第１のメッセージを通じて受信する方法であって、
ユーザデバイスにおいて第１のメッセージを受信する段階と、
前記第１のメッセージからページングスケジュールを抽出する段階と、
前記スケジュールに少なくとも一部基づいて１つ又はそれよりも多くのページングチャンネル通知を受信するように前記ユーザデバイスのモデムインタフェースを構成する段階と、
ページングチャンネル通知の受信に応答して、該受信したページングチャンネル通知が前記ユーザデバイスのためのものであるかを判断する段階と、
を含むことを特徴とする方法。
【請求項２】
前記ページングスケジュールは、共通制御チャンネル上で受信されることを特徴とする請求項１に記載の方法。
【請求項３】
前記スケジュールは、前記ネットワークにおけるユーザデバイスの部分集合だけに特定してアドレス指定されることを特徴とする請求項１に記載の方法。
【請求項４】
前記ページングスケジュールは、専用制御チャンネル上で受信されることを特徴とする請求項３に記載の方法。
【請求項５】
（ｉ）総セル帯域幅、（ｉｉ）帯域幅フラグメンテーションのレベル、及び（ｉｉｉ）複数のユーザデバイスの１つ又はそれよりも多くの特性のうちの少なくとも１つに対して最適化されることを特徴とする請求項１に記載の方法。
【請求項６】
前記モデムインタフェースを構成する前記段階は、不連続受信（ＤＲＸ）に利用可能な１つ又はそれよりも多くの時間及び１つ又はそれよりも多くの周波数帯域を識別する内部スケジュールを更新する段階を含むことを特徴とする請求項１に記載の方法。
【請求項７】
無線基地局装置であって、
デジタルプロセッサと、
前記プロセッサとデータ通信する無線インタフェースと、
前記プロセッサとデータ通信する記憶デバイスと、
を含み、
前記記憶デバイスは、前記デジタルプロセッサによって実行された時に、
１つ又はそれよりも多くの無線ネットワークパラメータに少なくとも一部基づいてページングチャンネル送信のためのモードを判断し、
前記無線インタフェースを通じて前記モードに関連する情報を送信し、かつ
前記モードに基づいて前記無線インタフェースを通じて前記ページングチャンネル送信を送信する、
ように構成されたコンピュータ実行可能命令を含む、
ことを特徴とする装置。
【請求項８】
前記無線ネットワークは、セルラーネットワークを含み、前記１つ又はそれよりも多くの無線ネットワークパラメータは、（ｉ）総セルラーセル帯域幅、（ｉｉ）帯域幅フラグメンテーションのレベル、及び（ｉｉｉ）前記ネットワークに関連付けられた複数のユーザデバイスの１つ又はそれよりも多くの特性のうちの少なくとも１つを含むことを特徴とする請求項７に記載の装置。
【請求項９】
前記モードに関連する前記情報の前記送信は、前記複数のユーザデバイスの部分集合だけにアドレス指定された該情報の送信を含むことを特徴とする請求項８に記載の装置。
【請求項１０】
前記モードに関連する前記情報の前記送信は、セルラー共通制御チャンネルを通じて前記複数のユーザデバイスにアドレス指定された該情報の送信を含むことを特徴とする請求項８に記載の装置。
【請求項１１】
前記無線ネットワークは、セルラーネットワークを含み、前記１つ又はそれよりも多くの無線ネットワークパラメータは、少なくとも「無線リソース接続（ＲＲＣ）」状態を含むことを特徴とする請求項７に記載の装置。
【請求項１２】
前記モードに関連する前記情報は、
前記ページング送信が送信される搬送波周波数に関する情報と、
ページング識別子及びページングメッセージがそれに従って送信されるタイミングデータと、
前記ネットワークのユーザデバイスが前記ページング識別子及びページングメッセージを受信することができる１つ又はそれよりも多くのチャンネルの帯域幅サイズに関連する情報と、
を含む、
ことを特徴とする請求項７に記載の装置。
【請求項１３】
前記モードに関連する前記情報は、「無線リソース接続（ＲＲＣ）」状態情報を更に含むことを特徴とする請求項１２に記載の装置。
【請求項１４】
前記１つ又はそれよりも多くのチャンネルは、「物理ダウンリンク制御チャンネル（ＰＤＣＣＨ）」及び「物理ダウンリンク共有チャンネル（ＰＤＳＣＨ）」を含み、前記ページング識別子及びページングメッセージは、それぞれ、該ＰＤＣＣＨ及び該ＰＤＳＣＨ上で送信されることになることを特徴とする請求項１２に記載の装置。
【請求項１５】
１つ又はそれよりも多くの無線ネットワークパラメータに少なくとも一部基づくページングチャンネル送信のためのモードの前記判断は、時間及び周波数において実質的に互いに重ならない複数の異なるモードの１つを選択する段階を含むことを特徴とする請求項７に記載の装置。
【請求項１６】
無線受信機装置であって、
デジタルプロセッサと、
前記デジタルプロセッサとデータ通信する無線インタフェースと、
前記プロセッサとデータ通信する記憶デバイスと、
を含み、
前記記憶デバイスは、前記プロセッサ上で実行された時に、
ページングチャンネル送信のためのスケジュールを受信し、
前記受信したスケジュールに少なくとも一部基づいて１つ又はそれよりも多くのページングチャンネル通知を受信するように前記無線インタフェースを構成し、かつ
ページングチャンネル通知の受信に応答して、第１のページングチャンネル通知が受信機装置にアドレス指定されているかを判断する、
ように構成された少なくとも１つのコンピュータプログラムを含む、
ことを特徴とする装置。
【請求項１７】
前記スケジュールは、前記無線インタフェースとは異なるインタフェースを通じて受信されることを特徴とする請求項１６に記載の装置。
【請求項１８】
前記無線インタフェースとは異なる前記インタフェースは、該無線インタフェースに関連付けられたものとは異なるプロトコルに従って無線信号を受信するようになった装置内の送受信機を含むことを特徴とする請求項１７に記載の装置。
【請求項１９】
前記無線インタフェースの前記構成は、不連続受信（ＤＲＸ）に利用可能な１つ又はそれよりも多くの時間及び１つ又はそれよりも多くの周波数帯域を識別する内部スケジュールの更新を含むことを特徴とする請求項１６に記載の装置。
【請求項２０】
前記スケジュールは、
前記ページングチャンネル通知が送信されることになる搬送波周波数を識別する第１の情報と、
ページング識別子とページングメッセージとがそれに従って送信されることになる第１のタイミングデータと、
受信機装置が、前記ページング識別子及びページングメッセージを受信することができる１つ又はそれよりも多くのチャンネルの帯域幅サイズに関連する第２の情報と、
を含む、
ことを特徴とする請求項１６に記載の装置。
【発明の詳細な説明】
【技術分野】
【０００１】
〔優先権〕
本出願は、同じ表題の２０１０年３月２２日出願のＰＣＴ出願（出願番号ＰＣＴ／ＵＳ２０１０／２８１８５）に対する優先権を請求し、それは、同じ表題の２００９年３月２３日出願の現在特許出願中及び本出願人所有の米国特許出願（出願番号第１２／４０９，３９８号明細書）に対する優先権を請求するものであり、これらの内容は、本明細書にその全内容が引用により組み込まれる。
【０００２】
〔著作権〕
本特許文書の開示の一部分は、権利保護された題材を含む。権利所有者は、特許及び登録商標事務所特許ファイル又は記録に現れる特許文書又は特許開示の他者によるファクシミリ複製に異議はないが、それ以外は、全ての権利を保有する。
【０００３】
本発明は、一般的に、無線通信及びデータネットワークの分野に関する。特に、１つの例示的な態様において、本発明は、無線通信及びデータネットワークにおける柔軟なページング送信モードの方法及び装置に関連する。
【背景技術】
【０００４】
「ユニバーサルモバイルテレコミュニケーションズシステム（ＵＭＴＳ）」は、「第３世代」又は「３Ｇ」セルラー電話技術の例示的な実施例である。ＵＭＴＳ規格は、「第３世代パートナーシッププロジェクト（３ＧＰＰ）」と呼ばれる共同機関によって指定される。３ＧＰＰは、「国際電気通信連合（ＩＴＵ）」によって示された要件に応答して、特にヨーロッパ市場をターゲットにした３Ｇセルラー無線システムとしてＵＭＴＳを採用している。ＩＴＵは、国際的な無線及び遠隔通信を規格化及び規制している。ＵＭＴＳへの拡張は、第４世代（４Ｇ）技術に対する更に別の進化をサポートすることになる。
【０００５】
現在の当該の題目は、改良されたシステム機能及びスペクトル効率を通じてパケットデータ送信のために最適化された移動無線通信システムに向けたＵＭＴＳの更に別の開発である。３ＧＰＰの関連では、これに関した活動は、一般用語の「ＬＴＥ」（長期進化）の下で要約される。この目的は、特に、最大総送信速度を将来的に大幅に上げること、すなわち、ダウンリンク送信方向に３００Ｍｂｐｓ及びアップリンク送信方向に７５Ｍｂｐｓの程度の速度まで上げることである。
【０００６】
３ＧＰＰの更に別の進歩は、「ＬＴＥ最新型」又は「ＬＴＥ−Ａ」と呼ばれるＩＭＴ−アドバンスド無線インタフェース技術に向けてＬＴＥ内で研究される。「ＬＴＥ最新型」研究の範囲及び目標に関する詳細は、特に、「ＮＴＴ  ＤｏＣｏＭｏ」等の「Ｅ−ＵＴＲＡのための更に別の進歩（ＬＴＥ最新型）」という名称のＲＰ−０８０１３７に説明されており、その内容は、本明細書にその全内容が引用により組み込まれている。ＩＭＴ−アドバンスド活動は、開始されており、ＩＴＵ−Ｒ（国際電気通信連合−無線通信部門）によって指導されている。候補ＩＭＴ−アドバンスドシステムによってサポートされる主要な特徴は、ＩＴＵ−Ｒによって設定され、特に、（１）高品質移動サービス、（２）ワールドワイドローミング機能、及び（３）高移動性環境のための１００Ｍｂｐｓと低移動性環境のための１Ｇｂｐｓのピークデータ速度を含む。
【０００７】
ＬＴＥ−Ａに関連する３ＧＰＰにおける現在の議論は、「３ＧＰＰ  ＴＳ  ３６．９１３」：「Ｅ−ＵＴＲＡのための更に別の進歩（ＬＴＥ最新型）に対する要件」における要件に基づいて、スペクトル効率、セルエッジ収量、カバレージ、及び待ち時間における更に別の進化ＬＴＥのための技術に集中しており、これらの内容は、本明細書にその全内容が引用により組み込まれている。候補技術は、（１）マルチ−ホップリレー、（２）ダウンリンクネットワーク「多重入出力（ＭＩＭＯ）」アンテナ技術、（３）スペクトル集約による２０ＭＨｚより大きい帯域幅に対するサポート、（４）柔軟なスペクトル使用／スペクトル共有、及び（５）セル間干渉管理を含む。レガシーＬＴＥネットワークとの後方互換性も、将来のＬＴＥ−Ａネットワーク、すなわち、ＬＴＥ−Ａネットワークも「ＬＴＥ  ＵＥ」をサポートし、「ＬＴＥ−Ａ  ＵＥ」は、ＬＴＥネットワークで作動させることができるための重要な要件である。
【０００８】
従来技術のページング機構
ページング機構は、ＵＭＴＳのような多くの従来技術のセルラー移動無線通信システムで使用される。ページング機構により、ＵＥは、使用されていない間に低減された又は「アイドル」状態で作動することによって電力消費を最小にすることができる。ＵＥがページング通知を受信した状態で、ＵＥは、「ウェークアップ」して応答する。無線システム内のページング管理のための様々な方法は、従来技術で明らかである。例えば、一部のページングシステムは、周波数ドメインシステムにおけるセル帯域幅全体にわたってページングメッセージを効率的には送信できない。代わりに、時間ドメインシステムは、ページング処理のための時間スロット全体を確保することができる。
【０００９】
従って、フラグメント化された多帯域作動機能、及び柔軟なリソーシングを有するネットワークに具体的に対処する適切なページング機構が必要である。このような改良された解決法は、シームレスにかつ既存の無線装置におけるユーザの体験及び他の無線デバイスのユーザ体験に悪影響を与えることなく作動しなくてはならない。更に、ある一定のシステム（例えば、ＬＴＥ）において、ＵＥのＲＦ機能は、サービス側基地局の全体的な機能とは異なる場合がある。他のシステムでは、レガシーＵＥの集団は、新しいＵＥとは異なる機能を有する場合がある。いずれにせよ、ＵＥの集団の制限されたＲＦのＴＸ／ＲＸ（送信／受信）機能を考慮に入れた柔軟なページング機構が必要とされている。
【先行技術文献】
【非特許文献】
【００１０】
【非特許文献１】「Ｅ−ＵＴＲＡのための更に別の進歩（ＬＴＥ最新型）」、ＲＰ−０８０１３７、「ＮＴＴ  ＤｏＣｏＭｏ」
【非特許文献２】「Ｅ−ＵＴＲＡのための更に別の進歩（ＬＴＥ最新型）」、「３ＧＰＰ  ＴＳ  ３６．９１３」、
【非特許文献３】「ローカル及び都市エリアネットワークのためのＩＥＥＥ規格−パート１６：固定及び移動ブロードバンド無線アクセスシステムのためのエアインタフェース−補正２：許可された帯域における結合された固定及び移動作動のための物理及び媒体アクセス制御層及び正誤表１」、ＩＥＥＥ規格８０２．１６ｅ、２００６年２月２８日
【非特許文献４】「Ｅ−ＵＴＲＡ−物理チャンネル及び変調」、「３ＧＰＰ  ＴＳ  ３６．２１１」
【非特許文献５】「ユニバーサルモバイルテレコミュニケーションズシステム（ＵＭＴＳ）；アイドルモードでのＵＥ手順及び接続したモードでのセル再選択のための手順」、「３ＧＰＰ  ＴＳ  ２５．３０４」、バージョン５．１．０
【非特許文献６】「ユニバーサルモバイルテレコミュニケーションズシステム（ＵＭＴＳ）；「ＵＴＲＡＮ  Ｉｕ」インタフェースＲＡＮＡＰ信号伝達」、「３ＧＰＰ  ＴＳ  ２５．４１３」、バージョン５．１０
【非特許文献７】「Ｅ−ＵＴＲＡ及びＥ−ＵＴＲＡＮ；全体的な説明；段階２」、３ＧＰＰ技術仕様「ＴＳ３６．３００」
【非特許文献８】「Ｅ−ＵＴＲＡ無線リソース制御（ＲＲＣ）」、３ＧＰＰ技術仕様「ＴＳ  ３６．３３１」
【発明の概要】
【発明が解決しようとする課題】
【００１１】
新しい「ＬＴＥ最新型」アーキテクチャの複雑さに具体的に対処するページング機構のための改良された装置及び方法が必要である。「ＬＴＥ最新型」システムアーキテクチャは、フラグメント化多帯域機能、ＯＦＤＭアクセス、及びレガシー及び新型ＵＥの混合された集団を結合する。このアーキテクチャ内のページングのための既存の機構は、最適とは言えない。
【課題を解決するための手段】
【００１２】
本発明は、無線ネットワークにおけるページングのための改良された装置及び方法を提供することにより、上述の必要性を満足させる。本発明の１つの態様では、無線ネットワークのためのページングチャンネルアクセスを提供する方法を開示する。一実施形態では、ネットワークは、セルラーネットワークであり、ページングチャンネルアクセスは、１つ又はそれよりも多くのネットワークパラメータに対して最適化される。本方法は、１つ又はそれよりも多くのネットワークパラメータに少なくとも一部基づいてページングチャンネルアクセスのための１つ又はそれよりも多くのリソースを割り当てる段階、ページングチャンネルアクセスのための割り当てられた１つ又はそれよりも多くのリソースを識別するスケジュールを複数のユーザデバイスに提供する段階、及びスケジュールを送信する段階を含む。この送信により、ユーザデバイスの少なくとも１つは、割り当てられた１つ又はそれよりも多くのリソースを受信するようにそのモデムを構成することができるようなる。
【００１３】
１つの変形では、スケジュールを提供する段階は、共通制御チャンネルを通じてスケジュールをブロードキャストする段階を含む。
【００１４】
別の変形では、スケジュールが、複数のユーザデバイスの部分集合だけに特定してアドレス指定される。
【００１５】
更に別の変形では、１つ又はそれよりも多くのリソースを割り当てる行為は、（ｉ）送信時間、（ｉｉ）周波数帯域、又は（ｉｉｉ）スプレッディングコードのうちの１つだけにページングチャンネルアクセスを制限する段階を含む。
【００１６】
更に別の変形では、１つ又はそれよりも多くのリソースを割り当てる段階は、（ｉ）送信時間、（ｉｉ）周波数帯域、又は（ｉｉｉ）スプレッディングコードのうちの少なくとも１つにページングチャンネルアクセスを制限する段階を含む。
【００１７】
更に別の変形では、ネットワークパラメータは、（ｉ）総セル帯域幅、（ｉｉ）帯域幅フラグメンテーションのレベル、及び（ｉｉｉ）複数のユーザデバイスの１つ又はそれよりも多くの特性のうちの少なくとも１つを含む。セルラーネットワークは、ＬＴＥ準拠セルラーネットワークであり、スケジュールを提供する段階は、ブロードキャストメッセージを通じてスケジュールをブロードキャストする段階を含む。
【００１８】
本発明の第２の態様では、無線ネットワークのユーザにより１つ又はそれよりも多くのページングチャンネル構成を受信する方法を開示する。一実施形態では、無線ネットワークは、セルラーネットワークであり、本方法は、ユーザデバイスで第１のメッセージを受信する段階、第１のメッセージからページングスケジュールを抽出する段階、スケジュールに少なくとも一部基づいて１つ又はそれよりも多くのページングチャンネル通知を受信するためにユーザデバイスのモデムインタフェースを構成する段階、及びページングチャンネル通知の受信に応答して、受信したページングチャンネル通知がユーザに対するものであるか否かを判断する段階を含む。
【００１９】
１つの変形では、ページングスケジュールは、専用制御チャンネル上で受信される。
【００２０】
別の変形では、スケジュールは、ネットワークにおけるユーザデバイスの部分集合だけに特定してアドレス指定される。
【００２１】
更に別の変形では、本方法は、（ｉ）総セル帯域幅、（ｉｉ）帯域幅フラグメンテーションのレベル、及び（ｉｉｉ）複数のユーザデバイスの１つ又はそれよりも多くの特性のうちの少なくとも１つに対して最適化される。
【００２２】
更に別の変形では、モデムインタフェースを構成する段階は、不連続受信（ＤＲＸ）に利用可能な１つ又はそれよりも多くの時間及び１つ又はそれよりも多くの周波数帯域を識別する内部スケジュールを更新する段階を含む。
【００２３】
本発明の第３の態様では、無線基地局装置を開示する。一実施形態では、装置は、デジタルプロセッサ、プロセッサとデータ通信する無線インタフェース、及びプロセッサとデータ通信する記憶デバイスを含み、記憶デバイスは、コンピュータ実行可能命令を含む。デジタルプロセッサによって実行された場合、命令は、１つ又はそれよりも多くの無線ネットワークパラメータに少なくとも一部基づいてページングチャンネル送信のためのモードを判断し、無線インタフェースを通じてモードに関連する情報を送信し、かつモードに基づいて無線インタフェースを通じてページングチャンネル送信を送信する。
【００２４】
１つの変形では、無線ネットワークはセルラーネットワークであり、１つ又はそれよりも多くの無線ネットワークパラメータは、（ｉ）総セルラーセル帯域幅、（ｉｉ）帯域幅フラグメンテーションのレベル、及び（ｉｉｉ）ネットワークに関連付けられた複数のユーザデバイスの１つ又はそれよりも多くの特性のうちの少なくとも１つを含む。モードに関連する情報の送信は、例えば、セルラー共通制御チャンネルを通じた複数のユーザデバイスの部分集合（例えば、単に１つ）だけにアドレス指定される情報の送信を含む。
【００２５】
別の変形では、１つ又はそれよりも多くの無線ネットワークパラメータは、少なくとも無線リソース接続（ＲＲＣ）状態を含む。
【００２６】
更に別の変形では、装置は、ＬＴＥ準拠マクロセル基地局である。
【００２７】
更に別の変形では、モードに関連する情報は、ページング情報が送信される搬送波周波数に関する情報、ページング識別子及びページングメッセージがそれに従って送信されるタイミングデータ、及びネットワークのユーザデバイスがページング識別子及びページングメッセージを受信することができる１つ又はそれよりも多くのチャンネルの帯域幅サイズに関する情報を含む。モードに関連する情報は、他の情報、例えば、「無線リソース接続（ＲＲＣ）」状態情報も同様に含むことができる。
【００２８】
別の変形では、１つ又はそれよりも多くのチャンネルは、「物理ダウンリンク制御チャンネル（ＰＤＣＣＨ）」及び「物理ダウンリンク共有チャンネル（ＰＤＳＣＨ）」、及びＰＤＣＣＨ及びＰＤＳＣＨでそれぞれ送信されるページング識別子及びページングメッセージを含む。
【００２９】
更に別の変形では、１つ又はそれよりも多くの無線ネットワークパラメータに少なくとも一部基づくページングチャンネル送信のためのモードの判断は、互いに対して時間及び周波数において実質的に重ならない複数の異なるモードの１つを選択する段階を含む。
【００３０】
本発明の第４の態様では、無線受信機装置を開示する。一実施形態では、装置は、デジタルプロセッサ、デジタルプロセッサとデータ通信する無線インタフェース、及び少なくとも１つのコンピュータプログラムを含み、プロセッサとデータ通信する記憶デバイスを含む。プロセッサで実行された場合、このプログラムは、ページングチャンネル送信のためのスケジュールを受信し、受信したスケジュールに少なくとも一部基づいて１つ又はそれよりも多くのページングチャンネル通知を受信するために無線インタフェースを構成し、かつページングチャンネル通知の受信に応答して、第１ページングチャンネル通知が受信機装置にアドレス指定されるかを判断する。
【００３１】
１つの変形では、スケジュールは、無線インタフェースとは異なるインタフェース、例えば、無線インタフェースに関連付けられたものとは異なるプロトコルに従って無線信号を受信するようになった装置内の送受信機を通じて受信される。
【００３２】
別の変形では、無線受信機装置は、マルチタッチスクリーンユーザインタフェースを有する実質的に移動型のセルラースマートフォンを含む。
【００３３】
更に別の変形では、無線インタフェースの構成は、不連続受信（ＤＲＸ）に利用可能な１つ又はそれよりも多くの時間及び１つ又はそれよりも多くの周波数帯域を識別する内部スケジュールを更新する段階を含む。
【００３４】
本発明の第５の態様では、記憶媒体を有するコンピュータ可読装置を開示する。一実施形態では、媒体は、複数のコンピュータ実行可能命令を含み、デジタルプロセッサによって実行された場合、１つ又はそれよりも多くの無線ネットワークパラメータに少なくとも一部基づいてページングチャンネル送信のためのスケジュールを判断し、命令が実行されるホストデバイスに関連付けられた無線インタフェースを通じてスケジュールの送信を実行し、かつスケジュールに基づいて無線インタフェースを通じたページングチャンネルの送信を実行する。
【００３５】
本発明の第６の態様では、セルラーネットワークに関してビジネスを行う方法を開示する。一実施形態では、本方法は、ネットワーク内のアドホックな配備に適応した基地局をネットワークのユーザに配分する段階、及びネットワーク内の少なくとも１つの他の基地局に関連付けられた既存のページング機構の妨害を最小限にするために１つ又はそれよりも多くのページング機構を基地局に構成させる段階を含む。
【００３６】
１つの変形では、少なくとも１つの他の基地局に関連付けられた既存のページング機構の妨害を最小限にするための１つ又はそれよりも多くのページング機構の構成は、ネットワークに割り当てられて少なくとも１つの他の基地局によって使用されている周波数スペクトルのうちの使用されていないか又は十分に利用されていない部分内で実質的に作動するように配分された基地局を構成する段階を含む。
【００３７】
別の変形では、配分された基地局は、フェムトセルであり、少なくとも１つの他の基地局は、固定マクロセル基地局である。
【００３８】
本発明の第７の態様では、無線通信のためのシステムを開示する。一実施形態では、本発明のシステムは、セルラーネットワークの一部であり、無線基地局及びユーザ装置（ＵＥ）を含み、基地局は、最適化されたページングモード及びスケジュールを判断し、かつこの情報をＵＥに送信するように構成され、それによってＵＥは、スケジュールに従ってモードを使用することができる。
【００３９】
本発明の他の特徴及び利点は、添付の図面及び以下に示す例示的な実施形態の詳細説明を参照して当業者によって即座に理解されるであろう。
【図面の簡単な説明】
【００４０】
【図１Ａ】典型的な従来技術の「時分割多元接続（ＴＤＭＡ）」実施例の時間及び周波数プロットを示す図である。
【図１Ｂ】典型的な従来技術の「周波数分割多元接続（ＦＤＭＡ）」実施例の時間及び周波数プロットを示す図である。
【図１Ｃ】典型的な従来技術の「符号分割多元接続（ＣＤＭＡ）」実施例の時間及び周波数プロットを示す図である。
【図１Ｄ】ＴＤＭＡと組み合わせて使用される典型的な従来技術の「直交周波数分割多元接続（ＯＦＤＭＡ）」実施例の時間及び周波数プロットを示す図である。
【図２】全二重ＦＤＤ、半二重ＦＤＤ、及びＴＤＤを含む様々な従来技術の二重化方法を表す図である。
【図３】従来技術の「ＬＴＥ  ＦＤＤ」システムに対する例示的なフレーム構造タイプを表す図である。
【図４】従来技術のＵＭＴＳページング機構タイミングを表す図である。
【図５】従来技術のＬＴＥ２相ページング機構タイミングを表す図である。
【図６】従来技術のＬＴＥ２相ページング機構のための時間及びページングリソースの１つの例示的なスケジュールを表す図である。
【図７】本発明による基地局（ＢＳ）のための一般化されたページング構成処理の１つの例示的な実施形態を示す論理流れ図である。
【図７Ａ】図７の一般化された方法の１つの特定の実施を示す論理流れ図である。
【図８】本発明によるクライアントデバイス（例えば、ＵＥ）のための一般化されたページング構成処理の１つの例示的な実施形態を示す論理流れ図である。
【図８Ａ】図８の一般化された方法の１つの特定の実施を示す論理流れ図である。
【図９】本発明の方法を実行するようになった基地局装置の一実施形態を示す機能的ブロック図である。
【図１０】本発明の方法を実行するようになったクライアントデバイス（例えば、ＵＥ）の一実施形態を示す機能的ブロック図である。
【図１１】本発明の一実施形態による「３ＧＰＰ  ＬＴＥ」技術を実施する例示的なＯＦＤＭＡセルラーシステムを示す図である。
【図１２】本発明の一実施形態に従って作動するようになった例示的な「３ＧＰＰ  ＬＴＥ」ネットワークインフラストラクチャーを示す図である。
【図１３】本発明による例示的な「無線リソース制御（ＲＲＣ）」有限状態機械を示す図である。
【図１４】図１１の「３ＧＰＰ  ＬＴＥ」ネットワークインフラストラクチャーの実施形態と共に使用する周波数帯域リソースの１つの例示的な配分を示す図である。
【図１５】図１１の「３ＧＰＰ  ＬＴＥ」ネットワークインフラストラクチャーの実施形態と共に使用する時間スロットリソースの１つの例示的な配分を示す図である。
【図１６】図１１の「３ＧＰＰ  ＬＴＥ」ネットワークインフラストラクチャーの実施形態と共に使用する時間及びページングリソースの１つの例示的なスケジュールを示す図である。
【発明を実施するための形態】
【００４１】
ここで、同じ数字が全体を通して同じ部分を示す図面を参照する。
【００４２】
概要
１つの態様では、本発明は、１つ又はそれよりも多くのネットワークパラメータに少なくとも一部基づいて無線ページングチャンネル作動を修正する方法及び装置を開示する。この特徴により、例えば、基地局は、様々なネットワーク制限を補償する（又はそれをターゲットにする）ために、ページング作動のために使用される帯域幅を調節することができる。望ましい場合にユーザ装置（ＵＥ）及び他のネットワークエンティティへのページングチャンネル作動パラメータの配分を可能にする相補的な特徴を開示する。このような方法及び装置は、フラグメント化多帯域作動機能を有するネットワーク内のページング容量の管理、及び柔軟なリソース割り当て／利用に対処するために特に有用である。
【００４３】
一実施形態では、総セル帯域幅及び帯域幅フラグメンテーションのようなネットワークパラメータが、１つ又はそれよりも多くのページング送信モードを判断するために基地局によって評価される方法及び装置を開示する。別の実施形態では、ＵＥ機能及び未処理のＲＲＣ接続のようなＵＥの懸案事項を考えることができる。
【００４４】
本発明の別の態様では、１つ又はそれよりも多くのページング構成を指定するページング送信モードがＵＥに信号伝達される方法及び装置を開示する。一実施形態では、このようなページング送信モードは、システム情報を通じてセル内でブロードキャストされる。代替的実施形態では、このようなページング送信モードは、専用メッセージ（例えば、ＲＲＣメッセージなど）を通じて送信される。更に、ＵＥ集団の非対称の機能の処理のための規定を開示する。
【００４５】
本発明の更に別の態様では、ユーザ装置（ＵＥ）が、受信したページング構成に少なくとも一部基づいて１つ又はそれよりも多くの無線要素を構成することができる方法及び装置を開示する。１つのこのような実施形態では、複数のページング構成が、ユーザ装置内で事前に定められ、それによってユーザ装置は、ページング構成指示の受信に応答して、１つの所定の構成を選択する（又は、プロキシによって選択するように誘導される）。
【００４６】
代替的実施形態では、複数のページング構成が、ユーザ装置内で修正可能であり、それによってユーザ装置は、ページング構成設定の受信に応答して１つ又はそれよりも多くのページング構成を動的に設定する。
【００４７】
「ＬＴＥ最新型」アーキテクチャ内で使用するための柔軟なページング機構のための例示的な装置及び方法も開示する。
【００４８】
例示的な実施形態の詳細説明
本発明の例示的な実施形態をここで詳しく説明する。これらの実施形態は、主に、ＵＭＴＳ無線ネットワークの関連で、より具体的には、第４世代（４Ｇ）「ＵＭＴＳ  ＬＴＥ」及びＬＴＥ−Ａネットワークに対する１つの変形で説明されているが、本発明がこれに制限されないことは、当業者によって理解されるであろう。実際には、本発明の様々な態様は、本明細書に説明する構成可能なページング機構から恩典を得ることができるあらゆる無線ネットワーク（セルラー又はそれ以外に関わらず）において有用である。例えば、ＷｉＭＡＸ技術内で利用されるページング方法（特に、「ローカル及び都市エリアネットワークのためのＩＥＥＥ規格−パート１６：固定及び移動ブロードバンド無線アクセスシステムのためのエアインタフェース−補正２：許可された帯域における結合された固定及び移動作動のための物理及び媒体アクセス制御層及び正誤表１」という名称の２００６年２月２８日付けのＩＥＥＥ規格８０２．１６ｅを参照されたい）は、その全体が引用により本明細書に組み込まれ、拡張されたページング機能を容易にするために本明細書に説明する方法に従って容易に適応させることができる。
【００４９】
以下の説明では、セルラー無線システムは、セルサイト又は基地局として公知の送信側局によって各々がサービスを受ける無線セルのネットワークを含む。無線ネットワークは、複数の送受信機（多くの場合、モバイル）のための無線通信サービスを提供する。共同で作業する基地局のネットワークは、単一のサービス提供基地局によって提供される無線カバレージより大きな無線サービスを可能にする。個々の基地局は、リソース管理のための付加的なコントローラ、及び場合によっては他のネットワークシステム（「インターネット」など）、又はＭＡＮへのアクセスを含む別のネットワーク（多くの場合、有線ネットワーク）によって接続される。
【００５０】
ＬＴＥでは、２つの個別のタイプの基地局、すなわち、ｅＮｏｄｅＢ（ｅＮＢ）とホームｅＮｏｄｅＢ（ＨＮＢ）が存在する。従来のセルラーネットワークでは、基地局のネットワークが、単一のネットワークオペレータエンティティによって所有及び／又は制御されていた。３ＧＰＰは、「ホームノードＢ」（ＨＮＢ）として公知の新しいネットワーク要素を導入している。ホーム基地局（又はホームＮｏｄｅＢ、又は３ＧＰＰ用語におけるホームｅＮｏｄｅＢ）は、住居、会社などの環境での使用に対して最適化された基地局である（例えば、個人の家、公共のレストラン、小さな事務所、企業、病院など、及び従って「ホーム」という用語は、住居の応用に制限することを意味しない）。この関連では、「ホーム基地局」、「ホームＮｏｄｅＢ」（ＵＭＴＳのための）、「ホームｅＮｏｄｅＢ」（ＬＴＥのための）という用語は、一般的に、「フェムトセル」を示している。この関連では、基地局、「ＮｏｄｅＢ」、及び「ｅＮｏｄｅＢ」（ＬＴＥのための）という用語は、一般的に、「マクロセル」を示している。
【００５１】
長期進化（ＬＴＥ）ページング方法
現在のＬＴＥ仕様は、潜在的な送信速度を上げるためにエアインタフェースを通じた送信を改良するためのいくつかの柔軟な複数のアクセス方法を定めている。ＬＴＥは、ダウンリンクアクセスのための「時分割多元接続（ＴＤＭＡ）」と組み合わせた「直交周波数分割多元接続（ＯＦＤＭＡ）」を指定する。この結果、ＯＦＤＭＡ／ＴＤＭＡとも呼ばれるこのハイブリッドアクセス技術は、周波数スペクトルにおける定められた加入者の数及びデータ送信の目的のための定められた送信時間が加入者に提供される多搬送波多重アクセス方法である。ＬＴＥは、更に、アップリンクアクセスのためのＴＤＭＡと組み合わせたＳＣ−ＦＤＭＡ（単一搬送波周波数分割多元接続）を指定する。更に、ＬＴＥは、全二重ＦＤＤ（周波数分割二重化）、半二重ＦＤＤ、及びＴＤＤ（時分割二重化）をサポートする。最後に、ＬＴＥは、１．４、３、５、１０、１５、及び２０ＭＨｚの拡張可能帯域幅セグメントをサポートする。
【００５２】
簡潔に、図１Ａ−１Ｄは、無線送信技術において良く理解され、かつ本発明の開示を通して使用されている基本多重アクセス方法を要約する。これらの図では、時間が時間軸（ｔ）の方向に増加し、周波数が周波数軸（Ｆ）の方向に増加していることが理解されるであろう。
【００５３】
図１Ａは、ＴＤＭＡ（時分割多元接続）システムを例証する第１の時間−周波数の図を含む。ＴＤＭＡでは、各移動無線端末は、移動無線端末による使用ために提供される全周波数帯域を使用することができる。しかし、各移動無線デバイスでは、所定の送信時間間隔（ＴＴＩ）だけが割り当てられており、移動無線デバイスが有用なデータを送信及び受信することができる。送信時間間隔１０２の間、１つの移動無線デバイスだけが無線セルにおいてアクティブである。
【００５４】
図１Ｂは、ＦＤＭＡ（周波数分割多元接続）システムを例証する第２の時間−周波数の図を含む。ＦＤＭＡでは、各移動無線デバイスが時間ドメインを自由に使用することができるが、全周波数帯域内の所定の（狭い）周波数帯域１０４だけが、有用なデータを送信及び受信するために利用可能である。１つの移動無線デバイスだけが、いずれの所定の時間にも無線セルの各々の狭い周波数帯域においてアクティブである。
【００５５】
図１Ｃは、ＣＤＭＡ（符号分割多元接続）システムを例証する第３の時間−周波数の図を含む。ＣＤＭＡ（いわゆる「直接シーケンス」又はＤＳシステムのサブ種）では、各移動無線端末は、いずれの期間にも有用なデータを送信及び受信することができ、全利用可能な周波数帯域を使用することができる。様々な送信者によって送信されたデータ間の干渉を防ぐために、各移動無線デバイスに、バイナリ疑似ノイズ符号パターン１０６が割り当てられる。様々な移動無線端末に割り当てられた符号パターンは、理想的には直交であり、移動無線端末によって送信されるか又は移動無線端末によって受信されるデータは、移動無線端末に割り当てられた符号パターンによって符号化される（広がる）。
【００５６】
図１Ｄは、ＴＤＭＡと組み合わせたＯＦＤＭＡ（直交周波数分割多元接続）システムを示している。ＯＦＤＭＡは、ＦＤＭＡの特別なケースであり、帯域幅Ｂを有する全周波数帯域がＭ個の直交部分搬送波１０８に細分される多搬送波方法である。従って、Ｆ＝Ｂ／Ｍの帯域幅を各々が有するＭ個の（狭い）周波数帯域が存在する。ＯＦＤＭＡでは、送信されるデータストリームが、多数の部分搬送波にわたって分割され、（一般的には）並行して送信される。各部分搬送波のデータ速度は、従って、全体的なデータ速度より低い。各移動無線端末では、部分搬送波１０８の定められた数が、データ送信に割り当てられる。ＯＦＤＭＡの柔軟な時間−周波数リソース割り当ての主な利点は、例えば、ＣＤＭＡの柔軟な符号割り当てを通じたより高いスペクトル効率である（すなわち、周波数帯域幅の単位当たりの単位時間当たりのより多くのビット）。
【００５７】
ＬＴＥでは、ＯＦＤＭＡ／ＴＤＭＡデータストリームに基づくダウンリンクアクセスは、ある一定の時間間隔又はフレームに時間で細分される。各フレームは、スロット、及びサブフレームに更に細分される。サブフレームの全てを使用する（ネットワークを十分に利用する）必要はないが、サブフレームは、送受信機によるデータ送信／受信のために使用される時間の最小増分量である。送受信機が基地局タイミングを取得した状態で、サブフレームが、スケジューリング機能によって各送受信機に割り当てられる。
【００５８】
図２は、従来技術による上述の全二重ＦＤＤ、半二重ＦＤＤ、及びＴＤＤを示している。全二重ＦＤＤは、アップリンク２２２及びダウンリンク２２０送信用２つの個別の周波数帯域を使用し、従って、両方の送信を同時に実行することができる。ＦＤＤとは異なり、ＴＤＤは、アップリンク２２２及びダウンリンク２２０の両方での送信に同じ周波数帯域を使用するが、所定の時間フレーム内で、送信の方向は、ダウンリンク２２０とアップリンク２２２の間で交互に切り換えられる。半二重ＦＤＤは、全二重ＦＤＤと同様に、アップリンク２２２及びダウンリンク２２０送信に対して２つの個別の周波数帯域を使用するが、アップリンク及びダウンリンク送信は、時間で重ならない（ＴＤＤと同様）。
【００５９】
ＬＴＥネットワークは、全二重及び半二重ＦＤＤの両方で使用される標準的なフレーム構造タイプ１（ｏｎｅ）３５０（図３に示されている）を利用する。各無線フレーム３５２は、持続時間が１０ミリ秒であり、０から１９の番号が付けられた０．５ミリ秒の長さの間隔における２０のスロット３５４から構成される。サブフレーム３５６は、２つの連続スロット３５４として定められる。ＦＤＤでは、各１０ミリ秒間隔で１０サブフレームがダウンリンク送信に利用可能であり１０サブフレームがアップリンク送信に利用可能である。アップリンク及びダウンリンク送信は、周波数ドメインで分離される。スロットフォーマットに応答して、サブフレームは、ダウンリンクにおける１４又は１２ＯＦＤＭＡ記号、及びアップリンクにおける１４又は１２ＳＣ−ＦＤＭＡ記号をそれぞれ含む。フレーム構造及びタイミングの詳細は、「Ｅ−ＵＴＲＡ−物理チャンネル及び変調」という名称の「３ＧＰＰ  ＴＳ  ３６．２１１」に説明されており、この内容は、本明細書にその全内容が引用により組み込まれている。
【００６０】
ここで図４を参照すると、ＦＤＤモードで作動する「ＵＭＴＳ  Ｗ−ＣＤＭＡ」のページングタイミング４００が示されており、以下に詳しく説明する。ＵＥは、定められた時点（すなわち、長さ１０ミリ秒の無線フレーム）でページングインジケータチャンネル（ＰＩＣＨ）４０２をモニタする。事前に割り当てられたページング識別子は、ページングメッセージが２次ページングチャンネルで保留されていることを（ページされるＵＥ）に指示する。そのページング識別子の受信に応答して、次に、ＵＥは、固定された時間距離τPICHでＰＩＣＨに続く２次共通制御物理チャンネル４０４（Ｓ−ＣＣＰＣＨ）を復号する（実施例では、τPICH＝７６８０チップ＝２ミリ秒）。時間距離は、ＰＩＣＨチャンネル４０２を受信した時間から測定される。周波数ドメインでは、ＰＩＣＨ及びＳ−ＣＣＰＣＨは、５ＭＨｚの全ダウンリンク帯域幅にわたって送信される。
【００６１】
ここで図５を参照すると、２相ページング機構５００（「ＵＭＴＳ  Ｗ−ＣＤＭＡ」に類似）が、ＬＴＥネットワークに対して示されている。ＵＥは、定められた時点（すなわち、長さ１ミリ秒の定められたサブフレーム）で物理ダウンリンク制御チャンネル（ＰＤＣＣＨ）５０２をモニタする。ページング識別子は、ネットワークによってＵＥに割り当てられる。割り当てられたページング識別子がＰＤＣＣＨで検出された時、ＵＥは、関連付けられた物理ダウンリンク共有チャンネル（ＰＤＳＣＨ）５０４を復号する。図示のように、ＰＤＣＣＨは、サブフレーム＃１＋２で送信され、第１スロットの１、２、又は３のＯＦＤＭＡ記号を占め、記号の数は、ネットワークによって動的に調節される。ＰＤＳＣＨ５０４は、サブフレーム＃ｉ＋２の残りで送信され、ＰＤＣＣＨによって使用されていないサブフレームのＯＦＤＭＡ記号を占有する。
【００６２】
図６は、周波数及び時間に関して示された２相ページング機構６００の１つの例示的なスケジュールの表示である。周波数ドメインでは、ＰＤＣＣＨは、セルの全ダウンリンク帯域幅にわたって送信されるが、ＰＤＳＣＨは、セルのダウンリンク帯域幅内のある一定の数のリソースブロック（ＲＢ）にわたってのみ送信される（ＲＢは１２の部分搬送波に対応する）。
【００６３】
方法
ここで図７及び８を参照して、本発明によるページングモードを発生及び受信する一般化された方法の例示的な実施形態を説明する。
【００６４】
１つの例示的な実施形態では、セルラー無線システムにおけるページングモードが、様々なネットワークパラメータに基づく複数の異なるモードに従って使用ように選択される。特に、図７の方法７００に示すように、ＢＳが段階７０２で１つ又はそれよりも多くの制御ネットワークパラメータを識別する。一部の実施形態では、制御ネットワークパラメータは、ＢＳの局所化されたデータベース（又は接続したネットワークエンティティ）に保持することができる。代替的実施形態では、集中化ネットワークコントローラからＢＳにパラメータを検索又はメッセージ送信することができる。ネットワークパラメータは、公知のネットワーク機能に関連付けることができるが、いずれのシナリオでも、ＢＳに、ＵＥ情報を動的に（例えば、定期的に又は特定のイベントの発生に応答して）問合せ又は受信するように要求することができる。
【００６５】
図７の方法で有用な例示的なネットワークパラメータは、例えば（及び制限なしに）、（ｉ）総セル帯域幅（すなわち、考慮中のセルに対する）、（ｉｉ）帯域幅フラグメンテーションのレベル、及び／又は（ｉｉｉ）ＵＥの集団の１つ又はそれよりも多くの特性（例えば、ＵＥの高周波（ＲＦ）機能のようなデバイスの機能、サービスを受けるトータルデバイス及び／又はＲＲＣ接続状態）、及びこれらのあらゆる組合せを含むことができる。更に、レガシーデバイスのサポートには、より最新のデバイスのサポートよりも重要であるか又は重要でないとして重み付けすることができ、この重み付けはまた、動的に又は他のネットワーク条件に基づいて変えることができる（例えば、レガシーデバイスは、１日の時間、総ＵＥ集団の一部分のような１つの状況においてより重く、別の状況において重くなく重み付けされる）。相関付けられるネットワークパラメータの数の多さ及び複雑さはまた、最適ページングモードの判断の前にＢＳによって認められる場合がある。このような分析の一部として考えることができる実質的に非制限的な様々なネットワークパラメータは、本発明の開示を与えられた当業者によって理解されるであろう。
【００６６】
段階７０４で、ＢＳは、上述の１つ又はそれよりも多くの判断されたネットワークパラメータに少なくとも一部基づいて１つ又はそれよりも多くのページングモードを判断する。複数のページング送信モードは、例示的な実施形態に定められており、それによって各送信モードは、１つ又はそれよりも多くの特定のＵＥ作動パラメータの構成を指定する。このようなＵＥ作動パラメータは、例えば、本明細書で次に詳しく説明するように、リソース割り当て及び／又はページングモードタイプを含むことができる。
【００６７】
この目的を達成するために、本発明は、特に、適切なページングモードの判断においてネットワークパラメータのための適切な重み付けを判断して割り当てることができる階層又は他の重み付けアルゴリズムの使用を１つの変形において考慮する。例えば、多くのユーザをサポートする周波数帯域は、ページングチャンネルに対する帯域幅の大きな量を割り当てるために要求することができるが、少ないユーザしか持たない周波数帯域は、ページングのために少ない帯域幅を割り当てることができ、逆も同様である。同様な関連で、専用ページングリソースは、非常に動的な加入者の要求（実質的に高移動性エリアのような例えば駅、空港）に対処するために適応させて拡大又は縮小することができる。
【００６８】
ネットワークパラメータ分析は、あらゆる数のパラダイム、例えば、実際のネットワーク活動の実行分析、ネットワーク活動の以前の知識（例えば、メモリに記憶されていた又はセル間通信ネットワーク上で配分された）などに基づくことができる。この方式で、本発明の基地局（ＢＳ）は、使用するページングモードの選択を動的に最適化することができる。この動的最適化は、基地局毎に（すなわち、その固有のページング作動を実際に判断する各基地局）、又はより共同の方式で（いずれかの隣接したセル間、又は全体としてネットワークなど）実行することができる。
【００６９】
上記に引用されたようなネットワークパラメータは、規則的（例えば、定期的）又は不規則に、又は特定のイベントの発生に関連付けて変えることができる。ピーク時間中の作動のようなある一定の周期的なインスタンスでは、ＢＳは、増加したコールトラフィックに対処するためにより多くのページングリソースを充てることを要求することができる。他のインスタンスでは、ＢＳは、ページングリソースが列車の停車駅、又は空港の近くなどで望ましい場合があることを単純に検出することができる（例えば、比較的定期的な作動、しかし、乗客で一杯の列車又は飛行機が到着した時のような無線接続における突然の急激な増加を伴う）。ネットワークパラメータに対するこれらの変化は、ＢＳによって直接検出することができ（例えば、ＢＳは、送信されるページングメッセージの量が、ページングリソースの現在の割り当ての容量を超えたと判断する場合がある等）、又はネットワーク内又はネットワーク外部の別のエンティティからＢＳにメッセージング又は信号伝達することができる。
【００７０】
リソース割り当ては、フラグメント化された周波数帯域を有するシステムを考える時に（すなわち、複数の周波数帯域が同じＢＳによってサービスを受ける場合に）非常に有利である。例えば、レガシーデバイスが周波数帯域の部分集合だけしか受信できない場合、その対応するページングモードは、その部分集合に制限することができる。更に、ＢＳは、「拡張されたデバイスのみ」又は他の指定された周波数帯域におけるページングメッセージだけを受信することに拡張されたデバイス（又はその部分集合）を制限するように選択することができ、従って、レガシー及び拡張されたデバイスの両方に対するスペクトル使用を最大にする。柔軟なリソース割り当ての関連におけるページングメッセージのための周波数帯域の共有／区分の可能性は、殆ど制限がない。
【００７１】
リソース割り当ては、例えば、ページングメッセージ専用にされた搬送波周波数、時間スロット、又は符号チャンネルを含むことができる。一実施形態では、ＢＳは、ページング識別子及びページングメッセージに対する周波数の最大帯域幅サイズを指定することができる。別の実施形態では、ＢＳは、ページング識別子及びページングメッセージが送信される時間又はサブフレームを指定することができる。特定的な実施形態では、をもたらすページング送信モードの各々に対する結果のページングスケジュールは、時間又は周波数において他のモードに重ならない。
【００７２】
更に、ページングモードタイプは、ページングメッセージがＵＥによってどのように及びいつ受信されるかに関する方法を定めることができる。例えば、ＢＳは、接続したＵＥ（例えば、ＲＲＣ「接続」状態）に対するページングメッセージ配信のための第１の方法、及びアイドル（例えば、ＲＲＣ「アイドル」状態）ＵＥに対するページングメッセージ配信のための第２の方法を選択することができる。更に、ＢＳは、他のＵＥ固有のパラメータに応答して、様々なサービスに対して又は様々なＵＥタイプに対するページング指示配信のための複数の方法の１つ又はそれよりも多くを選択することができる。
【００７３】
例えば、アクティブ無線リンクによって作動するＵＥは、複数の具体的にアドレス指定されたページング指示を受信することができ、この各々は、様々なサービス、又はネットワーク通知に対応する。このようなターゲット式配信は、いくらかのＵＥ処理を必要とするが、最小の付加的なネットワーク帯域幅が管理の必要性のために消費されることを保証する。逆に、アイドルであるＵＥは、ページング指示を定期的にモニタできるだけであり、従って、そのページング指示は、電力消費を最小にするためにブロードキャストすることができる（例えば、ＵＥは、単純な「フラグ」だけを受信し、ページングチャンネルを完全に処理する必要はない）。
【００７４】
代替的実施形態では、ＢＳ「コミュニティ」（すなわち、協働する２つ又はそれよりも多くの指定されたＢＳ）は、ページング構成を交換するために互いの間で直接通信することができる。このような通信は、有線又は無線に関わらず、文字通りあらゆるタイプの通信又はネットワークインタフェースを通じても実行することができ、理想的には、セルラーネットワークの作動をサポートする基地局間の既存の通信チャンネルを通じてサポートされる。このような実施形態は、フェムトセル作動で特に有用になり、ネットワークの一部分だけ（例えば、マスターネットワーク）が、ネットワークパラメータへのアクセスを有することができる。このような実施形態では、フェムトセルは、ネットワークからのネットワークパラメータを直接受信することができ、又は逆に、判断された出力ページング構成を受信することができる。
【００７５】
更に、基地局間の可能な／意味のある情報交換のレベルを調節することができる。例えば、ネットワークにより、フェムトセルは、特定の任意的なサービス（例えば、広告、フリート追跡など）を有効にするなどの様々な程度のページング指示を提供することができる。代わりに、フェムトセルページング状態機械を大幅に単純化することができ、レガシーデバイス相互作動を可能にする。最後に、緊急呼出しのような一部のサービスは常にサポートすることができ、このような実施形態では、レガシーデバイスをサポートしないＢＳに、レガシー緊急呼び出しをサポートするように要求することができる。
【００７６】
段階７０６で、ＢＳは、ページングモードを１つ又はそれよりも多くのＵＥデバイスに信号伝達する。一実施形態では、これは、全てのＵＥへの（すなわち、システム情報を通じてセルに現在位置する全てのＵＥへの）ブロードキャストを通じて達成される。代替的実施形態では、ＢＳは、専用メッセージを通じて（例えば、ＲＲＣ接続を通じて）ＵＥに信号伝達することができる。１つの変形では、ページング送信モードは、システムにおいて事前に指定され、モード識別子が、信号伝達される（様々な作動パラメータの各々を個々に信号伝達するのではなく）。
【００７７】
ここで図７Ａを参照して、図７のページングモードを発生する一般化された方法の１つの実施特異の実施形態を説明する。
【００７８】
図７Ａの方法７２０に示すように、段階７２２で、ＢＳは、その現在のロケーションに基づいてサービス提供のために使用することができる４つの個別の周波数帯域を識別する。ＢＳは、更に（例えば、コアネットワークとの協議の後で）、第１の基本サービス（例えば、音声）及び第２の増強されたサービス（例えば、データ）を提供するために周波数帯域の２つのみを選択する。
【００７９】
段階７２４で、ＢＳは、拡張された作動をサポートするＵＥの集団を識別する。この段階で、ＢＳは、集団機能を設定するためにコアネットワーク又はＵＥに問い合わせることができる。ＵＥの集団の一部分が拡張された作動をサポートすること（及びこのような作動が有利であること）をＢＳが判断した場合、ＢＳは、段階７２６の最適化アルゴリズムを開始する。
【００８０】
段階７２６で、ＢＳは、いくつかのページングスケジュールを判断する。例えば、１つのこのようなページングスケジュールは、拡張されたデバイスページングのために確保されている周波数帯域及び時間スロットの部分集合と共に、全てのレガシー周波数帯域で送信されることになるレガシーデバイスに対するページング通知を含むことができる。この結果、新しいページングモードにより、ＢＳ及びＵＥは、スペクトルを効率的に利用することができ（すなわち、そうでなければページングで浪費されるリソースを取り戻すことにより）、同時にＵＥ電力消費を最小にする（ページングチャンネル受信に必要なリソースを最小にすることにより）。
【００８１】
段階７２８で、ＢＳは、ブロードキャスト又は特にアドレス指定されたメッセージ（例えば、物理ダウンリンク共有チャンネル（ＰＤＳＣＨ）を通じて配信された）を通じて適切なページングスケジュールによって拡張されたＵＥを更新し、それによって拡張されたＵＥは、その作動をこれに従って調節することができる。
【００８２】
段階７３０で、ＢＳは、その適切なページング構成を指示する確認をＵＥから受信する。
【００８３】
ここで図８の方法８５０を参照すると、ＵＥは、段階８５２でそのサービス提供ＢＳに利用可能なページングモードの指示を受信する。一実施形態では、これは、システム情報を通じて所定のブロードキャストの受信を通じて達成される。代わりに、別の実施形態では、ＵＥは、専用メッセージを通じて（例えば、ＲＲＣ接続を通じて）ページングモードの指示を受信する。
【００８４】
段階８５４で、ＵＥは、ページング作動の適切な方法を判断する（又はこれに関して命令される）。一実施形態（「ＵＥパッシブ」モード）では、ＵＥに、基地局によって作動のページングモードを直接割り当てられる。１つのこのような変形では、ＵＥは、作動のページングモードをＵＥに割り当てるメッセージを受信する。別のこのような変形では、ＵＥが、作動のデフォルトページングモードを割り当てるメッセージを受信する。作動のデフォルトモードは、レガシーＵＥのある部分を含むユーザ集団に対する後方互換性の少なくとも最小レベルを保証するのに必要である。
【００８５】
代替的実施形態（「ＵＥアクティブ」モード）では、ＵＥは、ネットワークから作動の１つ又はそれよりも多くのページングモードを選択することができる。１つのこのような変形では、ＵＥは、アプリケーション要件、プロセッサ容量、電力消費（例えば、望ましい消費速度、残りのバッテリ寿命など）、サポートされるモデムオプションのような考察事項に基づいて、その好ましいページングモードを識別する。
【００８６】
別のこのような実施形態（「ＵＥ協働」モード）では、ＵＥ及び基地局は、相互に有用なページングモード作動についてアクティブに交渉する。
【００８７】
そのページングモードを静的に判断するようにＵＥを構成することができ、又は代わりに、ＵＥが、そのページングモード割り当て又は判断に動的に又は定期的に立ち戻ることができることが更に理解されるであろう。１つのこのような「静的」実施形態では、ＵＥは、ページングモードオプションを丹念に調べることができ、そのページングモードを一度設定することができる。１つの「動的」実施形態では、ＵＥは、定期的に又は状況に基づいて、ページングモードオプションを丹念に調べることができ、１つ又はそれよりも多くの動的システム要件に基づいてそのページングモードを設定することができる。
【００８８】
別の類似の実施形態では、ＵＥは、アプリケーションに対する内部要件に応答して、サポートされるページングモードを丹念に調べることができる。１つのこのような場合、ＵＥは、低電力モード作動（例えば、スリープモード）に入ることができ、ネットワークによってサポートされる最小ページング更新モードにそのページングモードを調節することができる。対照的に、高速作動（例えば、乗り物内のような）又は頻繁な更新を必要とする他のモード中に、ＵＥは、そのＢＳから利用可能な最も頻繁なページング更新にそのページングモードをアップグレードすることができる。
【００８９】
方法８５０の段階８５６で、ＵＥは、その内部作動プロトコルを更新し、判断されたページングモードに従ってページング通知の受信を始めるように対応する無線インタフェースを構成する。１つのこのような実施形態では、ＵＥは、不連続受信（ＤＲＸ）作動のための時間及び周波数帯域を識別する内部スケジュールを更新する。ＤＲＸ作動は、一般的に、セルラー技術全体を通して十分公知であり、ＵＥ及びネットワークは、データ転送が起こるフェーズを交渉し、そうでなければ、受信機が電源をオフにして低電力状態に入る。特に、「ユニバーサルモバイルテレコミュニケーションズシステム（ＵＭＴＳ）；アイドルモードでのＵＥ手順及び接続したモードでのセル再選択のための手順」、「３ＧＰＰ  ＴＳ  ２５．３０４」、バージョン５．１．０、及び「ユニバーサルモバイルテレコミュニケーションズシステム（ＵＭＴＳ）；「ＵＴＲＡＮ  Ｉｕ」インタフェースＲＡＮＡＰ信号伝達」、「３ＧＰＰ  ＴＳ  ２５．４１３」、バージョン５．１０を参照されたく、上述の各々は、ＵＭＴＳネットワーク内のＤＲＸにおける付加的な情報のために引用によりその全体が本明細書に組み込まれる。
【００９０】
ここで図８Ａを参照して、図８によるページングモードを受信する一般化された方法の１つの実施特異の実施形態を説明する。
【００９１】
図８Ａの方法８７０に示すように、段階８７２で、本発明により有効にされたＵＥは、レガシー作動においてそれ自体を初期化する。このＵＥが共通の登録方法を通じてネットワークでそれ自体を設定した状態で、ＵＥは、サービス提供ＢＳが、拡張されたページングチャンネル作動を提供するか否かを調べるために検査する。ＢＳがページングチャンネル作動を提供する場合、ＵＥは、ＢＳに対してそれ自体（及び任意的にその機能）を識別する。
【００９２】
段階８７４で、ＵＥは、ブロードキャスト又は適切なページングスケジュールを指示する他のページングメッセージを受信する。
【００９３】
段階８７６で、ＵＥは、その好ましいページングスケジュールを判断する。例えば、ＵＥは、電力消費を軽減するために、拡張された作動での作動を好むと判断することができる。
【００９４】
段階８７８で、ＵＥは、指定されたページング構成内で作動していることをＢＳに確認する。
【００９５】
段階８８０で、ＵＥは、そのページング受信を調節する。例えば、ＵＥは、例えば、第２周波数帯域の全てのフレームの第４サブフレームだけを受信するために不連続受信（ＤＲＸ）に利用可能な１つ又はそれよりも多くの時間及び１つ又はそれよりも多くの周波数帯域、又は別のこのような方式に従ってその受信機を調節することができる。
【００９６】
例示的なサービス提供基地局装置
ここで図９を参照すると、本発明の方法を実行する場合に有用なサービス提供基地局装置９００の一実施形態が示されている。基地局装置９００は、デジタルシグナルプロセッサ（ＤＳＰ）、マイクロプロセッサ、ゲートアレイ、又は複数の処理構成要素のような処理サブシステム９０５、並びに基地局９００に電力を供給するパワーマネージメントサブシステム９０６を含む複数の集積回路を更に含む１つ又はそれよりも多くの基板９０８を含む。本明細書で使用される「集積回路（ＩＣ）」という語は、あらゆるレベルの集積も有する（制限なしに、ＵＬＳＩ、ＶＬＳＩ、及びＬＳＩを含む）及び処理又は基本材料に関わらない（制限なしに、Ｓｉ、ＳｉＧｅ、ＣＭＯＳ及びＧａＡｓを含む）あらゆるタイプのデバイスも指す。ＩＣは、例えば、メモリデバイス（例えば、ＤＲＡＭ、ＳＲＡＭ、ＤＤＲＡＭ、ＥＥＰＲＯＭ／フラッシュ、及びＲＯＭ）、デジタルプロセッサ、ＳｏＣデバイス、ＦＰＧＡ、ＡＳＩＣ、ＡＤＣ、ＤＡＣ、送受信機、メモリコントローラなどのデバイス、並びにこれらのあらゆる組合せを含むことができる。
【００９７】
ハイレベルで図９に示す装置９００の実施形態は、無線ネットワークに作動の１つ又はそれよりも多くのページングモードを指示し、更に作動の１つ又はそれよりも多くの選択されたページングモードに従ってページングメッセージを送信するように構成されたモデム回路を含む。モデムサブシステムは、デジタルベースバンド９０４、アナログベースバンド９０３、及びＲＸ９０１及びＴＸ９０２に対するＲＦ成分を含む。複数のサブシステムが示されているが、将来の開発が、全体的に又は部分的にモデムサブシステムを強化することができることを理解すべきである。
【００９８】
処理サブシステム９０５は、複数のプロセッサ（又はマルチコアプロセッサ）を含むことができる。本明細書で使用される「プロセッサ」という語は、一般的に、制限なしに、デジタルシグナルプロセッサ（ＤＳＰ）、縮小命令セットコンピュータ（ＲＩＳＣ）、汎用（ＣＩＳＣ）プロセッサ、マイクロプロセッサ、ゲートアレイ（例えば、ＦＰＧＡ）、ＰＬＤ、再構成可能コンピュータ構成（ＲＣＦ）、アレイプロセッサ、セキュアマイクロプロセッサ、及び特定用途向け集積回路（ＡＳＩＣ）を含む、デジタル処理デバイスの全てのタイプを含むことを意味する。このようなデジタルプロセッサは、単一の統一ＩＣダイに含むことができ、又は複数の構成要素にわたって配分させることができる。
【００９９】
更に、処理サブシステムはまた、処理作動を容易にするためにキャッシュを含む。例証される実施形態では、処理サブシステムは、更に、（ｉ）ネットワークパラメータを判断するための、（ｉｉ）ページングモードを判断し、ページングモードをＵＥに配分するための機能的なサブシステム又はモジュールを含む。これらのサブシステムは、ソフトウエア、ファームウエア、及び／又はハードウエアに実施することができ、論理的及び／又は物理的に処理サブシステムに連結される。本明細書で使用される「ソフトウエア」及び「コンピュータプログラム」という語は、機能を実行するあらゆるシーケンス又は人間又は機械が認識することができる段階を含むことを意味する。このようなプログラムは、あらゆるプログラミング言語又は環境においてバーチャルにすることができる。
【０１００】
代わりに、別の変形では、サブシステム又はモジュールをサブシステムの送信機に直接結合することができる。本装置の例証される実施形態は、ネットワーク判断サブシステム、ページングモード判断サブシステム、及びＵＥページング管理サブシステムを論理的に接続される。
【０１０１】
一実施形態では、ネットワーク判断サブシステムは、１つ又はそれよりも多くのネットワークパラメータを記憶するようになった装置９００内に局所化されたデータベース又はメモリ構造を含む。代替的実施形態では、このサブシステムは、１つ又はそれよりも多くのネットワークパラメータを含むメッセージを受信するようになった集中化ネットワークコントローラへの１つ又はそれよりも多くのインタフェースを含むことができる。更に別の実施形態では、ネットワークパラメータをユーザ装置から動的に問合せ又は受信される特性（例えば、ＵＥページングモード機能）に関連付けることができる。
【０１０２】
ページングモード判断サブシステムは、例えば、ネットワーク活動のモニタリング装置、又はネットワーク活動の知識を記憶するようになったメモリ装置を含むことができる。入力ネットワークパラメータは、ページングモードの選択を動的に最適化するための最適化エンジン（例えば、アルゴリズム）に提供される。ネットワークパラメータは、定期的に又は不定期に変更することができること、従って、最適化エンジンは、望ましい場合に対応する変更に応答して実行することができることが理解されるであろう。更に、ページングモード判断サブシステムは、更に、近くの基地局又は他のネットワークエンティティと情報を交換するようになった１つ又はそれよりも多くのインタフェースを含むことができる。
【０１０３】
ＵＥページング管理サブシステムは、一実施形態では、ＵＥの全て又は部分集合に（すなわち、そのシステム情報によって判断されたようにセルに現在位置する全てのＵＥに）ページングモードをブロードキャストするための装置を含む。代替的実施形態では、ＢＳは、専用メッセージ（例えば、ＲＲＣ接続）を通じて特定のＵＥにページングモードを直接アドレス指定するように構成される。
【０１０４】
処理サブシステム９０５は、メモリサブシステム９０７に接続されることが好ましい。本明細書で使用される「メモリ」という語は、制限なしに、ＲＯＭ、ＰＲＯＭ、ＥＥＰＲＯＭ、ＤＲＡＭ、ＳＤＲＡＭ、ＤＤＲ／２、ＳＤＲＡＭ、ＥＤＯ／ＦＰＭＳ、ＲＬＤＲＡＭ、ＳＲＡＭ、「フラッシュ」メモリ（例えば、ＮＡＮＤ／ＮＯＲ）、及びＰＳＲＡＭを含むデジタルデータを記憶するようになったあらゆるタイプの集積回路又は他の記憶デバイスを含む。図９に示す実施形態のメモリサブシステムは、直接メモリアクセス（ＤＡＭ）、機能的ランダムアクセスメモリ（ＲＡＭ）、及び不揮発性メモリを含む。
【０１０５】
例示的なＵＥ装置
ここで図１０を参照すると、本発明の方法を実行する場合に有用な例示的なクライアント又はＵＥ装置１０００が示されている。本明細書で使用される「クライアント」及び「ＵＥ」という語は、以下に限定されるものではないが、セルラー電話、スマートフォン（例えば、ｉＰｈｏｎｅ（登録商標）など）、ｉＭａｃ（登録商標）、ＭａｃＰｒｏ（登録商標）、ＭａｃＭｉｎｉ（登録商標）、又はＭａｃＢｏｏｋ（登録商標）のようなパーソナルコンピュータ（ＰＣ）、及びミニコンピュータ、デスクトップ、ラップトップ、又はそれ以外、並びに手持ち式コンピュータ、ＰＤＡのような移動デバイス、例えば、ｉＰｏｄ（登録商標）のようなパーソナルメディアデバイス（ＰＭＤ）、又は上述のあらゆる組合せを含む。ページングモード受信の構成は、ソフトウエアで実行されることが好ましいが、ファームウエア及び／又ハードウエアの実施形態も想定され、この装置は、図１０に関して次に本明細書において説明する。
【０１０６】
ＵＥ装置１０００は、デジタルシグナルプロセッサ、マイクロプロセッサ、フィールドプログラマブルゲートアレイ、又は１つ又はそれよりも多くの基板１００８に実施された複数の処理構成要素のようなプロセッササブシステム１００５を含む。処理サブシステムはまた、内部キャッシュメモリを含むことができる。処理サブシステム１００５は、例えば、ＳＲＡＭ、フラッシュ及びＳＤＲＡＭ構成要素を含むことができるメモリを含むメモリサブシステム１００７に接続される。メモリサブシステムは、当業技術で公知のようにデータアクセスを容易にするために、ＤＭＡタイプハードウエアの１つ又はそれよりも多くを実施することができる。例証される実施形態では、処理サブシステムは、更に、ページングモードの指示を受信し、適切なページングモードを判断し、かつモデムを構成するためのサブシステム又はモジュールを含む。これらのサブシステムは、処理サブシステムに結合されたソフトウエア又はハードウエアに実施することができる。代わりに、別の変形では、サブシステムを直接デジタルベースバンドに結合することができる。例証される実施形態は、ページングモード受信サブシステム、ページングモード判断サブシステム、及びモデム構成サブシステムを論理的又は物理的に結合するが、他のアーキテクチャを使用することもできる。
【０１０７】
例示的なＵＥは、ＢＳからのページングモードメッセージを通じてページングモードを設定又は変更するようにＵＥに指示するメッセージを復号する。従って、ページングモード受信サブシステム又はモジュールは、事前に記憶されていたページングモード構成を検索するためのメモリを更に含むことができる。代わりに（又は追加的に）、ページングモード受信サブシステムは、ＵＥに直接メッセージされるページングモード指示を受信するためのインタフェースを含むことができる。
【０１０８】
一実施形態では、ページングモード判断サブシステムは、アプリケーション要件、プロセッサ機能、電力消費、サポートされるモデムオプションのような考察事項に基づいて、その好ましいページングモードを識別するようになった１つ又はそれよりも多くの処理要素を含む。別の実施形態では、ページングモード判断サブシステムは、ネットワークと１つ又はそれよりも多くのページングパラメータを交換して交渉するのに適する１つ又はそれよりも多くの装置を含む。
【０１０９】
モデム構成サブシステムは、一実施形態では、不連続受信（ＤＲＸ）のための時間及び周波数帯域を識別する内部スケジュールを含む。代替的実施形態では、モデム構成サブシステム１００５は、ページング受信を物理リソースの部分集合（例えば、時間スロット、周波数帯域など）に制限することにより、ページングモード作動を調節するようになった１つ又はそれよりも多くの内部プログラムを含むことができる。
【０１１０】
無線／モデムサブシステムは、デジタルベースバンド１００４、アナログベースバンド１００３、ＴＸフロントエンド１００２及びＲＸフロントエンド１００１を含む。装置１０００は、アンテナアセンブリを更に含み、選択構成要素は、特定の周波数範囲、又は指定された時間スロットなどに対する様々なアンテナ作動モードを有効にするための複数のスイッチを含むことができる。特定のアーキテクチャを説明するが、一部の実施形態では、本発明の開示を与えられた当業者によって理解されるように、いずれの構成要素を省くことができ、又はそうでなければ互いに一体化させることができる（３ＧデジタルＲＦに使用されるタイプのように、結合されたＲＦ  ＲＸ、ＲＦ  ＴＸ及びＡＢＢなど）。
【０１１１】
アナログベースバンド１００３は、一般的に、無線フロントエンドの作動を制御し、従って、デジタルベースバンドモデム１００４は、ページングメッセージの受信用パラメータをアナログベースバンド１００３にロードする。選択構成要素は、デジタルベースバンドモデムからこのような制御機能をオフロードするためにページングメッセージを受信するためにアナログベースバンド１００３によって制御することができる。
【０１１２】
例証されるパワーマネージメントサブシステム（ＰＭＳ）１００６は、ＵＥに電力を供給し、集積回路及び／又は複数の区分化された電子構成要素を含むことができる。１つの例示的な携帯式ＵＥ装置では、パワーマネージメントサブシステム１００６は、有利にバッテリにインタフェースで接続する。
【０１１３】
ユーザインタフェースシステム１０１０は、制限なしに、キーパッド、タッチスクリーン、ＬＣＤディスプレイ、バックライト、スピーカ、及びマイクロフォンを含むあらゆる数の公知のＩ／Ｏを含む。しかし、特定の用途において、これらの構成要素の１つ又はそれよりも多くを省くことができることを理解すべきである。例えば、ＰＣＭＣＩＡカードタイプＵＥ実施形態は、ユーザインタフェースがなくてもよい（これらが、物理的及び／又は電気的に接続されるデバイスのユーザインタフェースに搭載することができるので）。
【０１１４】
装置１０００は、制限なしに、１つ又はそれよりも多くのＧＰＳ送受信機、又はＩｒＤＡポートのようなネットワークインタフェース、Ｂｌｕｅｔｏｏｔｈ送受信機、ＵＳＢ、ファイヤワイヤなどを含む任意的な付加的な周辺機器１００９を更に含む。しかし、これらの構成要素は、本発明の原理によるＵＥの作動に対して必ずしも必要ないことを理解すべきである。
【０１１５】
例示的なＬＴＥネットワーク
図１１は、例示的なＬＴＥ−Ａネットワークを示している。セル１１０２のカバレージは、基地局９００（例えば、ＬＴＥ−ＡｅＮｏｄｅＢ）によって提供される。ｅＮｏｄｅＢは、ＬＴＥ−Ａ  ＵＥ１０００、又はレガシーＬＴＥ  ＵＥ１１０６のいずれかへの／このいずれかからの直接接続をサポートする。リレーノード１１０４（ＮｏｄｅＲと呼ばれる）は、セルエッジ又はカバレージのホールで付加的なカバレージを提供するためにセルに容易に装備することができる。ＵＥは、中間ＮｏｄｅＲを通じたアップリンク及びダウンリンク方向におけるｅＮｏｄｅＢと通信することができる。
【０１１６】
図１２は、特に、本明細書で次に説明するページング機構方法を実行するために有用なＬＴＥのためのハイレベルネットワークアーキテクチャを示している。図１２に示すように、ＬＴＥシステム１２５０は、無線アクセスネットワークＥ−ＵＴＲＡＮ１２５２（進化型ＵＭＴＳ地上無線アクセスネットワーク）及びコアネットワークＥＰＣ１２５４（進化型パケットコア）を含む。Ｅ−ＵＴＲＡＮ１２５２は、複数の基地送受信局、ｅＮｏｄｅＢ（ｅＮＢ）９００を含む。ｅＮＢ９００は、例示的な実施形態では、ＭＭＥ（移動性管理エンティティ）及び「サービス提供ゲートウェイ（Ｓ−ＧＷ）」１２５６を含むＥＰＣ１２５４（進化型パケットコア）に接続される。ＭＭＥは、Ｅ−ＵＴＲＡＮ１２５２の受信可能エリアに位置するＵＥの移動性を制御する役割を果たし、Ｓ−ＧＷは、ＵＥとネットワーク間のユーザデータの送信を処理する役割を果たす。無線アクセスネットワーク及びＬＴＥシステムのためのエアインタフェースの詳細は、特に、「Ｅ−ＵＴＲＡ及びＥ−ＵＴＲＡＮ；全体的な説明；段階２」という名称の３ＧＰＰ技術仕様「ＴＳ３６．３００」に説明されており、本明細書にその全内容が引用により組み込まれている。
【０１１７】
図示のように、本発明の有効にされたｅＮＢ９００は、無線リソース接続（ＲＲＣ）を設定することにより、Ｅ−ＵＴＲＡＮ１２５２内の１つ又はそれよりも多くの本発明の有効にされたＵＥ１０００のための無線サービス（例えば、音声、データなど）を提供する。「ＵＭＴＳ  ＬＴＥ」プロトコルスタックのＲＲＣ（図１３を参照）は、ＵＥ１０００とｅＮＢ９００間の制御プレーン信号伝達を単純化する。ＲＲＣは、接続設定及び解除を実行する単純な状態機械１３００を含む。
【０１１８】
当該の２つの接続状態は、ＲＲＣプロトコル層で指定されている：「ＵＭＴＳ  ＬＴＥ」プロトコルスタックのＲＲＣ_ＩＤＬＥ１３０２及びＲＲＣ_ＣＯＮＮＥＣＴＥＤ１３０４。例えば、本明細書にその全内容が引用により組み込まれている「Ｅ−ＵＴＲＡ無線リソース制御（ＲＲＣ）」という名称の３ＧＰＰ技術仕様「ＴＳ  ３６．３３１」を参照されたい。ＲＲＣ接続は、ＵＥ及びｅＮｏｄｅＢそれぞれにおけるＲＲＣピアエンティティ間の２地点間双方向接続として定められる。接続したモードでは、ＵＥとｅＮｏｄｅＢ間の１つのＲＲＣ接続しかない（ＵＥは、複数のＲＲＣ接続を維持しない）。アイドルモードでは、ＵＥとｅＮｏｄｅＢ間にＲＲＣ接続はない。ＬＴＥでは、ページングチャンネルが、各接続状態に対する異なる情報を提供する。
【０１１９】
ＲＲＣ_ＣＯＮＮＥＣＴＥＤ状態１３０４では、ＵＥ１０００及びｅＮｏｄｅＢ９００は、無線リソース割り当てをアクティブに処理する。ネットワーク制御式移動性は、明示的なハンドオーバ及びセル変更の程度によって実行される。ｅＮｏｄｅＢは、セルエリアレベルで、ＵＥの位置を維持／更新しなくてはならない。ＵＥは、無線セルでブロードキャストされるシステム情報をアクティブに取得する。アップリンク及びダウンリンクでのユーザ及び制御データの送信は、ＲＲＣ_ＣＯＮＮＥＣＴＥＤ状態の間に行われる。ＲＲＣプロトコル層は、システムレベル情報をブロードキャストし、接続層の双方向制御を維持する役割を果たす。ＵＥは、無線セルでブロードキャストされるシステム情報を取得し、システム情報の修正に関する通知を受信するためにページングチャンネルをモニタする。
【０１２０】
ＲＲＣ_ＩＤＬＥ１３０２状態では、ｅＮｏｄｅＢ９００によってＵＥ１０００専用にされる無線リソースはない。ＲＲＣ_ＩＤＬＥ状態の間は、ＵＥが、セル選択／再選択、ページングチャンネルのモニタリング、及び無線セルでブロードキャストされたシステム情報の取得のような無線リンク管理に必要な様々な機能を実行する。この状態では、ＥＰＣ１２５６におけるＭＭＥが、「追跡エリア」レベルでネットワークによって既知のＵＥ位置を維持する。追跡エリアは、着信通信の試みの間にＵＥがページングされるセルの群を定める。
【０１２１】
起動時に、ＵＥは、ＲＲＣ_ＩＤＬＥ作動中にＲＲＣ_ＩＤＬＥ１３０２にあり、アップリンク又はダウンリンクいずれかでのユーザ及び制御データの送信はない。ＲＲＣ接続の設定１３０６及び解除１３０８に対する２つの状態変更は、システムによって使用される。これらの状態変更は、ｅＮｏｄｅＢ９００の制御下にあり、ページングチャンネルでブロードキャストされる通知を含む様々なイベントによってトリガすることができる。
【０１２２】
例示的なＬＴＥ−Ａ構成可能ページングモード作動
ここで図１１を再度参照すると、本発明の様々な実施形態を例証するのに有用な例示的な配備シナリオは、ＵＥの混合された集団（例えば、本発明の有効にされた「ＬＴＥ−Ａ  ＵＥ」１０００、及びレガシー「ＬＴＥ  ＵＥ」１１０６）と通信するＬＴＥ−ＡｅＮｏｄｅＢ９００によって提供されるＬＴＥネットワークセルを含む。ｅＮｏｄｅＢは、「ＬＴＥ  ＵＥ１」１１０６と「ＬＴＥ−Ａ  ＵＥ３」１０００間の直接接続をサポートする。ｅＮｏｄｅＢから「ＬＴＥ  ＵＥ２」１１０６及び「ＬＴＥ−Ａ  ＵＥ４」１０００への接続は、中間ＮｏｄｅＲ１（１１０４）及びＮｏｄｅＲ２（１１０４）を通じてサポートされる。
【０１２３】
図１４、１５、及び１６は、図１２の例示的な「ＬＴＥ−Ａ  ｅＮｏｄｅＢ」９００のサンプル特徴を示している。図１４は、ｆ１からｆ６として示されるアップリンク及びダウンリンク送信用周波数割り当ての図である。「ＬＴＥ−Ａ  ＵＥ３」１０００及びＵＥ４（１０００）は、２０ＭＨｚの最大ＲＦ送信／受信帯域幅をサポートし、搬送波周波数ｆ１及びｆ２によって特徴付けられる集約された２５ＭＨｚアップリンク帯域で、かつ搬送波周波数ｆ３からｆ６によって特徴付けられる集約された９０ＭＨｚダウンリンク帯域で作動される。
【０１２４】
図１５は、ページングメッセージのための例示的なサブフレーム割り当てを示す図である。この個々の設定に応答して、「ＬＴＥ−Ａ  ＵＥ３」１０００及びＵＥ４（１０００）は、対応するページングフレームのあらゆる数のサブフレーム０、４、５、及び９もモニタすることができる。これらのページング構成は、図１６に更に示されている。
【０１２５】
以下の表１は、ＬＴＥ−ＡｅＮｏｄｅＢによって選択され、かつセルに位置した全てのＵＥに信号伝達されたページング送信モード構成の上述の実施形態を要約している。
【０１２６】
（表１）
2014143751.tif 000003
【０１２７】
例示的なシナリオ１
図１１のＬＴＥ−Ａ有効化ドＵＥ３（１０００）を参照すると、ＵＥ３（１０００）は、ｅＮＢ９００とのアクティブ接続を有し、ＲＲＣ_ＣＯＮＮＥＣＴＥＤ１３０４状態にある。ユーザ及び制御データは、アップリンク及びダウンリンク方向の両方で送信される。ＵＥ３は、搬送波周波数ｆ５によって特徴付けられるダウンリンク周波数帯域で作動される。ＵＥ３は、システム情報への修正に関する通知を受信するために、ページング送信モード３（１６０２）（図１６）によって構成されるようにＰＤＣＣＨ及びＰＤＳＣＨをモニタする。従って、ＵＥは、そのページング識別子が「物理ダウンリンク制御チャンネル（ＰＤＣＣＨ）」を通じて送信されるか否かを判断するために、３２個の無線フレームの各ＤＲＸサイクル内の無線フレーム＃ｉ＋１９（サブフレーム＃０、＃４、＃５及、び＃９）で周波数帯域ｆ５をモニタする。ｅＮｏｄｅＢは、搬送波周波数ｆ５近くで２０ＭＨｚの最大帯域幅を有するページングメッセージ（例えば、ＰＤＣＣＨ及びＰＤＳＣＨ）をブロードキャストする。ＵＥがＰＤＣＣＨでその割り当てられたページング識別子を検出した場合、ＵＥは、関連付けられた「物理ダウンリンク共有チャンネル（ＰＤＳＣＨ）」を復号する。
【０１２８】
例示的なシナリオ２
別の実施例のシナリオでは、「ＬＴＥ−Ａ  ＵＥ４」１０００は、ｅＮｏｄｅＢ９００とのアクティブ接続を持たず、ＲＲＣ_ＩＤＬＥ１３０２状態にある。ＵＥ４は、搬送波周波数ｆ３のダウンリンク周波数帯域で現在作動している。ＵＥ４は、着信呼出し又はシステム情報の修正に関する通知を受信するために、ページング送信モード１（１６０４）（図１６）によって構成されるようにＰＤＣＣＨ及びＰＤＳＣＨをモニタする。ＵＥは、そのページング識別子が物理ダウンリンク制御チャンネル（ＰＤＣＣＨ）を通じて送信されるか否かを判断するために、３２個の無線フレームの各ＤＲＸサイクル内の無線フレーム＃ｉ＋４（サブフレーム＃０、＃４、＃５、及び＃９）で周波数帯域ｆ３をモニタする。ｅＮｏｄｅＢは、搬送波周波数ｆ３近くで２０ＭＨｚの最大帯域幅を有するページングメッセージ（例えば、ＰＤＣＣＨ及びＰＤＳＣＨ）をブロードキャストする。ＵＥがＰＤＣＣＨにおけるその割り当てられたページング識別子を検出した場合、ＵＥは、関連付けられた「物理ダウンリンク共有チャンネル（ＰＤＳＣＨ）」を復号する。
【０１２９】
ビジネス方法及び規則
上述のネットワーク装置及び方法が様々なビジネスモデルに容易に応用することができることが理解されるであろう。１つのこのようなモデルでは、サービスプロバイダ／ネットワークオペレータは、拡張機能フェムトセルを販売、リース、又は無料で提供することができる（すなわち、コストなしでインセンティブとして）。フェムトセルは、ブロードバンドインタフェース（ＤＳＬ、Ｔ１、ＩＳＤＮ、又はＤＯＣＳＩＳケーブルモデムなど）を通じてサービスプロバイダのネットワークに接続することにより、基地局のサービスプロバイダの既存のネットワークを増強する。フェムトセルは、内蔵型装備のように設計される。作動の相対的コスト及び単純さにより、専門知識のない顧客（すなわち、住居、会社、又は他のこのようなユーザ）は、フェムトセルを購入及び作動させることができる。フェムトセル配備のアドホックな性質は、柔軟なスペクトル使用及びスペクトル共有により、並びに本発明の１つ又はそれよりも多くの態様によって提供されるセル間の干渉の管理によって大いに改良される。１つの実施例では、フェムトセルは、そのページング機構を自由に構成することができ、スペクトルの使用されていないか又は十分に利用されていない部分内で作動させることにより、既存のページング機構の妨害を最小限にすることができる。
【０１３０】
別のビジネスパラダイムでは、適切に有効にされたユーザ装置（例えば、ＵＥ１０００）は、拡張されたページングメッセージを受信することができ、既存のページングチャンネルを効率的にモニタすることができ、従って、全体的な体験の知覚される品質を改善する。１つのこのような実施形態では、ページングチャンネルの専用の部分集合が、有効化ドＵＥに割り当てられる。従って、レガシーデバイスは、全てのページングチャンネルを広くモニタし続けるのに対して（比較的効率の悪い方式で）、有効化ドデバイス１０００は、ページングチャンネルの指定された部分集合だけをモニタする。この方法は、明らかに効率的であり、電力消費を大幅に改善する。
【０１３１】
代替的実施形態では、ある一定の拡張されたサービス（例えば、「マルチメディアブロードキャストマルチキャストサービス（ＭＢＭＳ）」）をＲＲＣ接続なしで連続してブロードキャストすることができる。一般的なブロードキャストサービスは、永久ではなく、ブロードキャストが終了した状態で、過度の難しさを伴わずにネットワークによってページングリソースを回収することができる。従って、ブロードキャスト技術は、本発明のページング機構を通じてこのようなサービスに対する通知を柔軟に管理することによって改良することができる。
【０１３２】
上述のネットワーク装置及び方法はまた、元になるビジネス規則アルゴリズム又は「エンジン」による作動に容易に適応させることができる。このビジネス規則エンジンは、例えば、ソフトウエアアプリケーション（及び／又はファームウエア又は同等のハードウエア態様）を含むことができ、一実施形態では、コアネットワークでの個別のエンティティとして又は代わりにコアネットワーク又は他のネットワーク管理処理（ＮＭＰ）に存在する既存のエンティティ内に実施される。規則エンジンは、実際には、経済的態様、ユーザ体験拡張のような重要な基準に基づいて作動的判断又はリソース割り当てを実行する場合に、ネットワークオペレータ（又は他の関連の当事者）を助けるハイレベルの監督処理である。
【０１３３】
一実施形態では、ビジネス規則エンジンは、１つ又はそれよりも多くのユーザにリソースを提供することに関連付けられた収益及び／又は利益の含みを考慮に入れるように構成される。従って、例示的なビジネス規則エンジンは、ユーザのより広いベース（例えば、増加する全体的なページングリソース）又は代わりにサービスのより広い範囲（例えば、減少する全体的なページングリソース）をサポートするためにシステムのページング挙動を修正することができる。
【０１３４】
例えば、１つの実施例では、リソース（例えば、周波数スペクトル）に対するユーザの集団からの要求の評価は、様々な割り当てオプションに関連付けられた増分コスト、収益、及び／又は利益の分析を含むことができる。場合によっては、ネットワークプロバイダは、新しいサービス要求が共通でなく、従って、ページングが重要でないと判断することができる。他の場合、ネットワークプロバイダは、新しいユーザ及びサービスが、頻繁にセルに入ったり出たりしており、従って、より多くのページングリソースの割り当てを要求していると判断することができる。これらの「ビジネス規則」は、例えば、リソース要求の時に課すことができ、次に、ある期間（又は再評価を起動するイベントが起こるまで）、又は代わりに定期的なモデルに従って維持することができる。
【０１３５】
リソースの動的割り当てを実行するための無数の他の方式は、本発明の開示を与えられた当業者によって理解されるであろう。
【０１３６】
本発明のある一定の態様を方法の段階の特定のシーケンスの観点から説明したが、これらの説明は、本発明の様々な方法の例示的に過ぎず、特定の用途によって望ましいように修正することができることが認識されるであろう。ある一定の段階は、ある一定の状況下で必要ないか又は任意的とすることができる。更に、ある一定の段階又は機能は、開示する実施形態に追加することができ、又は２つ又はそれよりも多くの段階の実行の順序を変えることができる。全てのこのような変形は、本明細書に開示されて特許請求される本発明に含まれると考えられる。
【０１３７】
上述の詳細説明は、様々な実施形態に適用する時に本発明の新しい特徴を示し、説明し、かつ指摘しているが、例示したデバイス又は処理の形式及び詳細における様々な省略、置換、及び変更は、本発明から逸脱することなく当業者によって実行することができることが理解されるであろう。以上の説明は、本発明を実施するのに現在考えられる最良のモードである。この説明は、決して制限を意味するのではなく、むしろ、本発明の一般的な原理を例証するものとして捉えるべきである。本発明の範囲は、特許請求の範囲に関連して判断すべきである。
【符号の説明】
【０１３８】
７００  方法
７０２  ネットワークパラメータを識別する段階
７０４  適切なページングモードを判断する段階
７０６  ＵＥにページングモードを配信する段階
【図１Ａ】
2014143751.tif 000004
【図１Ｂ】
2014143751.tif 000005
【図１Ｃ】
2014143751.tif 000006
【図１Ｄ】
2014143751.tif 000007
【図２】
2014143751.tif 000008
【図３】
2014143751.tif 000009
【図４】
2014143751.tif 000010
【図５】
2014143751.tif 000011
【図６】
2014143751.tif 000012
【図７】
2014143751.tif 000013
【図７Ａ】
2014143751.tif 000014
【図８】
2014143751.tif 000015
【図８Ａ】
2014143751.tif 000016
【図９】
2014143751.tif 000017
【図１０】
2014143751.tif 000018
【図１１】
2014143751.tif 000019
【図１２】
2014143751.tif 000020
【図１３】
2014143751.tif 000021
【図１４】
2014143751.tif 000022
【図１５】
2014143751.tif 000023
【図１６】
2014143751.tif 000024
【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
セルラーネットワークのユーザデバイスにより、１つ又はそれよりも多くのページングチャンネル構成を該セルラーネットワークによって提供される少なくとも第１のメッセージを通じて受信する方法であって、
ユーザデバイスにおいて第１のメッセージを受信する段階と、
前記第１のメッセージからページングスケジュールを抽出する段階と、
前記スケジュールに少なくとも一部基づいて１つ又はそれよりも多くのページングチャンネル通知を受信するように前記ユーザデバイスのモデムインタフェースを構成する段階と、
ページングチャンネル通知の受信に応答して、該受信したページングチャンネル通知が前記ユーザデバイスのためのものであるかを判断する段階と、
を含むことを特徴とする方法。